(57)【要約】【課題】メンテナンス作業が容易であり、燃料油中の不純物粒子を捕捉して浄化効果を著しく向上できる燃料油の浄化方法および浄化装置を提供せんとする。【解決手段】容器アース電極２０内に平板回転電極２１が設けられ、電極２０，２１間に直流電圧を印加し、流通する燃料油中の不純物粒子が有しているゼーター電位を低下もしくは消失させ凝集粗粒化させ、平板回転電極２１の電位と逆の電位に帯電させてクーロン力により平板回転電極２１の両側面２１ａに吸着させる電圧印加手段３を設けた。また、平板回転電極２１の両側面２１ａに吸着した不純物粒子を掻き落しにより回収するためのスクレーパ２２を設けた。浄化装置１により処理される燃料油は、残留炭素分８〜９重量％以下で、かつ不純物粒子径が５〜１０μｍ以下に浄化される。【選択図】図２
2008032604.tif 000002
【特許請求の範囲】
【請求項１】
燃料油が流通する電極間に、間隔２０ｍｍあたり３００〜１０００Ｖの直流電圧を印加することにより、燃料油中の不純物粒子が有しているゼーター電位を低下もしくは消失させ凝集粗粒化させるとともに、クーロン力により電極に吸着させ、吸着した不純物粒子を回収する回収手段を設け、これにより残留炭素分８〜９重量％以下で、かつ不純物粒子径が５〜１０μｍ以下に浄化してなることを特徴とする燃料油の浄化方法。
【請求項２】
燃料油が満たされる容器アース電極内に平板回転電極を設け、この電極間に電圧を印加することにより、流通する燃料油中の不純物粒子が有しているゼーター電位を低下もしくは消失させ凝集粗粒化させるとともに、前記平板回転電極の電位と逆の電位に帯電させてクーロン力により平板回転電極の両側面に吸着させ、吸着した不純物粒子の回収手段として掻き落しにより回収するスクレーパ部を設けてなる請求項１記載の燃料油の浄化方法。
【請求項３】
複数の平板回転電極を平行に複数配してなる請求項２記載の燃料油の浄化方法。
【請求項４】
前記電極間に供給される燃料油を、あらかじめ１００〜１４０℃に加熱するための加熱手段を設けてなる請求項１〜３のいずれか１項に記載の燃料油の浄化方法。
【請求項５】
排出された処理液に対し、さらに荷電凝集ろ過装置を用いてろ過してなる請求項１〜４のいずれか１項に記載の燃料油の浄化方法。
【請求項６】
請求項１〜５のいずれか１項に記載の燃料油の浄化方法に用いる浄化装置であって、
燃料油が満たされる容器アース電極内に平板回転電極を設け、
この電極間に電圧を印加することにより、流通する燃料油中の不純物粒子が有しているゼーター電位を低下もしくは消失させ凝集粗粒化させるとともに、前記平板回転電極の電位と逆の電位に帯電させてクーロン力により平板回転電極の両側面に吸着させる電圧印加手段を設け、
吸着した不純物粒子を掻き落しにより回収するスクレーパ部を設けてなることを特徴とする燃料油の浄化装置。
【請求項７】
複数の平板回転電極を平行に複数配してなる請求項６記載の燃料油の浄化装置。
【請求項８】
前記容器アース電極内に供給される燃料油を、あらかじめ１００〜１４０℃に加熱するための加熱手段を設けてなる請求項６または７記載の燃料油の浄化装置。
【請求項９】
前記容器アース電極より排出された処理液を、さらに荷電凝集ろ過装置に供給してろ過する請求項６〜８のいずれか１項に記載の燃料油の浄化装置。
【発明の詳細な説明】
【技術分野】
【０００１】
本発明は、大型船舶や発電機関等の燃料として使用される燃料油から不純物を除去する浄化方法および浄化装置に関する。
方法に関する。
【背景技術】
【０００２】
この種の燃料油を用いる機関、例えばＣ重油仕様のディーゼルエンジンでは、燃料油（Ｃ重油）中のシリカ、触媒残滓等の不純物の除去、洗浄方法としては、一般に高速遠心分離機が用いられている。例えば、特許文献１では、Ｃ重油の如き低質重油を、高速の遠心分離機で処理して不純物を遠心分離し、遠心分離機内をＡ重油で洗浄して遠心分離されたスラッジを取り出し、該取り出されたＣ重油とＡ重油を含むスラッジから水分を蒸発させて取り除くと共に、低速遠心分離機で遠心分離して固体分を分離、除去し、残ったＣ重油とＡ重油との混合物を前記機関の燃料として使用するようにしたことを特徴とする燃料油から不純物を除去する方法が提案されている。【０００３】
しかしながら、遠心分離機のメンテナンス作業は機関関係のメンテナンス時間の大きな比率を占め、船舶をはじめ陸上発電関係では遠心分離装置のメンテナンス作業の軽減化が望まれている。また、燃料油の性状はますます悪化傾向にあり、システム油の汚損度増大をもたらし、エンジン損傷の原因となっていることから更なる浄化能力の向上が求められている。【０００４】
【特許文献１】特開２００４−１５５８０９号公報
【発明の開示】
【発明が解決しようとする課題】
【０００５】
そこで、本発明が前述の状況に鑑み、解決しようとするところは、メンテナンス作業が容易であり、燃料油中の不純物粒子を捕捉して浄化効果を著しく向上できる燃料油の浄化方法および浄化装置を提供する点にある。
【課題を解決するための手段】
【０００６】
本発明は、前述の課題解決のために、燃料油が流通する電極間に、間隔２０ｍｍあたり３００〜１０００Ｖの直流電圧を印加することにより、燃料油中の不純物粒子が有しているゼーター電位を低下もしくは消失させ凝集粗粒化させるとともに、クーロン力により電極に吸着させ、吸着した不純物粒子を回収する回収手段を設け、これにより残留炭素分８〜９重量％以下で、かつ不純物粒子径が５〜１０μｍ以下に浄化してなることを特徴とする燃料油の浄化方法を提供する。【０００７】
ここで、燃料油が満たされる容器アース電極内に平板回転電極を設け、この電極間に電圧を印加することにより、流通する燃料油中の不純物粒子が有しているゼーター電位を低下もしくは消失させ凝集粗粒化させるとともに、前記平板回転電極の電位と逆の電位に帯電させてクーロン力により平板回転電極の両側面に吸着させ、吸着した不純物粒子の回収手段として掻き落しにより回収するスクレーパ部を設けることが好ましい。【０００８】
本発明は、上記燃料油の浄化方法に用いる浄化装置であって、燃料油が満たされる容器アース電極内に平板回転電極を設け、この電極間に電圧を印加することにより、流通する燃料油中の不純物粒子が有しているゼーター電位を低下もしくは消失させ凝集粗粒化させるとともに、前記平板回転電極の電位と逆の電位に帯電させてクーロン力により平板回転電極の両側面に吸着させる電圧印加手段を設け、吸着した不純物粒子を掻き落しにより回収するスクレーパ部を設けてなることを特徴とする燃料油の浄化装置を構成した。【０００９】
具体的には、複数の平板回転電極を平行に複数配することが好ましい。また、前記電極間に供給される燃料油を、あらかじめ１００〜１４０℃に加熱するための加熱手段を設けることが好ましい。排出された処理液は、さらに荷電凝集ろ過装置を用いてろ過される。
【発明の効果】
【００１０】
以上にしてなる本願発明は、燃料油が流通する電極間に、間隔２０ｍｍあたり３００〜１０００Ｖの直流電圧を印加し、電極に吸着した不純物粒子を回収する回収手段を備えたので、複雑な構造を必要とすることなく不純物を効率よく除去可能となり、耐久性もよくメンテナンスをほとんど不要であり、残留炭素分８〜９重量％以下で、かつ不純物粒子径が５〜１０μｍ以下に浄化してエンジン損傷等を未然に防止できる。【００１１】
また、燃料油が満たされる容器アース電極内に平板回転電極を設け、この電極間に電圧を印加し、不純物粒子を凝集粗粒化させるとともに平板回転電極の両側面に吸着させ、吸着した不純物粒子の回収手段として掻き落しにより回収するスクレーパ部を設けたので、回転電極により効率よく不純物粒子を回収除去できる。【００１２】
また、複数の平板回転電極を平行に複数配したので、回転電極の枚数を増やすことで吸着面積が著しく増大し、より効率よく不純物微粒子を回収除去できる。【００１３】
また、燃料油をあらかじめ１００〜１４０℃に加熱するための加熱手段を設けたので、燃料油の流れがよくなり、不純物の凝集粗粒化や帯電付着が促進され、より効率よく不純物微粒子を回収除去できる。【００１４】
また、排出された処理液を荷電凝集ろ過装置を用いてろ過したので、前記電極間の電圧により凝集粗粒化された不純物粒子を荷電凝集ろ過装置で確実に捕捉し、浄化効果を著しく向上させることができる。
【図面の簡単な説明】
【００１５】
【図１】本発明の代表的実施形態に係る浄化装置を示す説明図。
【図２】同じく斜視図。
【図３】同じく浄化装置のシステム構成図。
【図４】回転電極式吸着除去装置による不純物粒子の凝集粗粒化、吸着除去の試験結果のグラフ。
【符号の説明】
【００１６】
１  浄化装置
２  回転電極式吸着除去装置
３  電圧印加手段
４  加熱手段
５  荷電凝集ろ過装置
６  ストレーナ
１０  貯留タンク
２０  容器アース電極
２１  平板回転電極
２１ａ  両側面
２２  スクレーパ
２３  不純物回収タンク
２４  処理タンク
２５  回転軸
２６  駆動モータ
４０  加熱槽
４１  加熱ヒータ
Ｐ１，Ｐ２，Ｐ３  ポンプ
【発明を実施するための最良の形態】
【００１７】
次に、本発明の実施形態を添付図面に基づき詳細に説明する。【００１８】
図１は、本発明に係る浄化装置の構成を示す図であり、図１〜３は代表的実施形態を示し、図中符号１は浄化装置、２は回転電極式吸着除去装置、３は電圧印加手段、４は加熱手段、５は荷電凝集ろ過装置をそれぞれ示している。【００１９】
なお、以下の実施形態においては、電極として平板回転電極を用いた例について説明するが、本発明はこれに限定されず、たとえば本出願人による特開２０００−３５４７８９号公報で開示したドラム式の電極を備えたものも好ましい実施例である。【００２０】
浄化装置１は、図１、２に示すように、燃料油が満たされる容器アース電極２０内に平板回転電極２１，・・・が設けられ、この電極２０，２１間に直流電圧を印加することにより、流通する燃料油中の不純物粒子が有しているゼーター電位を低下もしくは消失させ凝集粗粒化させるとともに、平板回転電極２１の電位と逆の電位に帯電させてクーロン力により平板回転電極２１の両側面２１ａに吸着させる電圧印加手段３が設けられている。【００２１】
さらに、平板回転電極２１の両側面２１ａに吸着した不純物粒子を掻き落しにより回収するためのスクレーパ２２が設けられており、この浄化装置１により処理される燃料油は、残留炭素分８〜９重量％以下で、かつ不純物粒子径が５〜１０μｍ以下に浄化することができる。【００２２】
より詳しくは、前記電極２０、２１間に供給される燃料油を、あらかじめ１００〜１４０℃に加熱するための加熱手段４が設けられている。この予熱により処理される燃料油の流れがよくなり、不純物の凝集粗粒化や帯電付着が容易となる。【００２３】
また、前記平板回転電極２１に付着されずに排出された処理液に対し、さらに荷電凝集ろ過装置５を用いてろ過される。【００２４】
以下、各部の構造を更に詳細に説明する。【００２５】
本実施形態に係る浄化装置１は、上記平板回転電極２１を平行に複数配設した回転電極式吸着除去装置２と、該装置２に供給される燃料油を予め加熱する加熱手段４としての加熱槽４０及び加熱ヒータ４１と、前記装置２から排出された燃料油をさらにろ過するための複数の荷電凝集ろ過装置５，・・・とよりシステム構成され、荷電凝集ろ過装置５から排出された処理液は前記加熱手段４に燃料油を供給する貯留タンク１０に戻される。【００２６】
本例では、このように循環ろ過システムを構成して、所定時間の循環してろ過を繰り返すこととなるが、循環式にする必要は必ずしもない。なお、本例では図３に示すように、加熱手段４に燃料油を供給する前の流路途中に、比較的大きな不純物を取り除くためのストレーナ６が設けられている。【００２７】
加熱手段４は、図２、３に示すように、貯留タンク１０からポンプＰ１により供給された被処理液（燃料油）を収容して流通させる加温槽４０と、収容された燃料油を過熱するための加熱ヒータ４１とより構成され、加熱ヒータ４１は温度調節されたスチームが流通する。【００２８】
回転電極式吸着除去装置２は、加熱手段４を介して被処理液が供給される箱体状の容器アース電極２０の内部に、複数の同一径の円盤状平板回転電極２１，・・・が回転軸２５上に平行に同軸状に配置され、該回転軸２５を回転させる駆動モータ２６により各回転電極２１が同一方向に回転される。【００２９】
電圧印加手段３は、この回転軸２５を介して各平板回転電極２１に接続され、同じく接続された容器アース電極２０との間に、間隔２０ｍｍあたり３００〜１０００Ｖ、より好ましくは３００〜８００Ｖの直流電圧を印加する。ここで、その荷電圧をスライダックで調整可能とし、不純物微粒子の吸着量や残留炭素分を制御することが好ましい。各平板回転電極２１の両側面には、好ましくは誘電率の高い物質がコーティングされる。尚、電圧印加手段３による接続極性は逆にすることも可能である。【００３０】
平板回転電極２１の各側面２１ａには、中心部から斜め下方の外周縁部に向けて断面視略Ｌ字状のスクレーパ片が近接配置され、両側面のスクレーパ片は外周部で断面略コ字状に一体化して延びるスクレーパ２２を構成している。このスクレーパ２２は各平板回転電極２１に設けられ、容器アース電極２０の側方に設けられた不純物回収タンク２３まで延びており、各側面２１ａに吸着した不純物粒子をスクレーパ片で掻き落し、前記回収タンク２３に流し込んで回収する。【００３１】
前記回収タンク２３と反対側には、容器アース電極２０内の平板回転電極２１間を流通してオーバーフローした処理液が一時収容される処理タンク２４が設けられ、タンク内の処理液は、ポンプＰ３により荷電凝集ろ過装置５に供給される。【００３２】
荷電凝集ろ過装置５は、フィルターの濾目による物理的濾過作用と燃料油中の不純物粒子が有しているゼーター電位の低下による凝集粗粒化現象を利用した装置であり、荷電フィルター装置であり、本出願人による実用新案登録第２０３６２６３号や特公平０８−２１０号で開示した技術が利用でき、特に被処理液中の固形粒子等の不純物粒子の濾過を促進する。これら荷電凝集ろ過装置５は、同じものが３機並列に設けられ、処理された燃料油は再度貯留タンク１０に戻される。【００３３】
なお、上記回転電極式吸着除去装置２で処理された処理液は、不純物粒子が有しているゼーター電位を低下もしくは消失させて凝集粗粒化されているので、荷電凝集ろ過装置５を用いる代わり、荷電されない通常のろ過装置を設けてもよい。また、荷電凝集ろ過装置５は上記のものに何ら限定されない。また、これらろ過をまったく行わないものや、種々のろ過装置を用いて直列処理させてもよい。【００３４】
以上本発明の実施形態について説明したが、本発明はこうした実施例に何ら限定されるものではなく、本発明の要旨を逸脱しない範囲において種々なる形態で実施し得ることは勿論である。
【実施例】
【００３５】
次に、上記図１〜３に示した代表的実施形態の浄化装置１（だたし、循環はさせず、荷電凝集ろ過装置を通過した処理液は回収タンクに回収する。）を用いて、使用済みのＦＣＣ重油を処理した際の残留炭素分、ＦＣＣ触媒粒子濃度を測定した試験結果について説明する。【００３６】
試験は、浄化装置１の貯留タンクに使用済みＦＣＣ重油を入れ、加熱手段で５０℃に加熱した実施例１、１００℃に加熱した実施例２について、各部（貯留タンク内、平板回転電極付近、処理タンク内、回収タンク内）におけるＦＣＣ重油のシリカ濃度、アルミナ濃度、残留炭素濃度を測定した。回転電極式吸着除去装置の電極間には５００Ｖ／２０ｍｍの直流電圧を印加し、荷電凝集ろ過装置では電極間に間隔１０ｍｍあたり２５０Ｖの交流電圧を印加して試験を行った。【００３７】
【表１】
2008032604.tif 000003
【００３８】
表１より、実施例１と実施例２を比較して、温度が高い実施例２の方が電極付近に集まるシリカ、アルミナの濃度が高く、処理された処理タンク内の濃度も小さくなり、処理能力が向上することが分かる。また、実施例１、２のいずれも、シリカ濃度が５．８ｐｐｍから１．４ｐｐｍに低下し、アルミナも３．５ｐｐｍから０．６ｐｐｍに低下しており、不純物粒子が確実に捕捉され、浄化が行われていることが分かる。さらに、残留炭素濃度も９．８％から７％に低減することに成功している。【００３９】
次に、回転電極式吸着除去装置による不純物粒子の凝集粗粒化、および吸着除去の各効果を実証する試験結果について説明する。【００４０】
試験は、上記図１〜３の装置から荷電凝集ろ過装置を省略し、回転電極式吸着除去装置２を用いて使用済みＦＣＣ重油を処理する。回転電極式吸着除去装置の電極間には、５００Ｖ／２０ｍｍの直流電圧を印加した。そして、処理前、処理後の粒度分布、粒子量を、ジャパンアナリスト株式会社 相模原分析センターにおいてマイクロトラック粒度分析計測法に基づいて測定した。【００４１】
結果は、図４のグラフに示す。図４から分かるように、粒度分布において処理前は２．１２〜１１μｍに亘り粒度分布が見られたのに対し、処理後は２．１２〜１５．５５に粒度分布が変化している。また、粒子量は、処理前に比べて処理後は減少している。粒度分布の遷移は、凝集粗粒化が効果的に行われ、このような粗粒化した粒子は、荷電凝集ろ過装置を通すことでより確実にろ過され、具体的には５μｍ以上の粒子はほぼ完全に除去できたことが確認されている。また、粒子量が減ったのは、回転電極への吸着除去が効果的に行われたことを示している。【００４２】
次に、上記図１〜３に示した代表的実施形態の具体的装置のうち回転電極式吸着除去装置「ゼオテックＲ−１０００」（５００Ｖ／２０ｍｍ、処理量１０００Ｌ／ｈ：実施例３、処理量２０００Ｌ／ｈ：実施例４）と、従来からの遠心分離機「アルファ・ラバルSU・SA型油清浄機」（アルファ・ラバル（株）製）（４０００回転）（比較例１）について、それぞれ同一のＦＣＣ−Ｃ重油の処理後、処理前の残留炭素分、ＦＣＣ触媒粒子濃度を分析した。表２〜５に、シリカの濃度、アルミナの濃度、汚染度、残留炭素分の分析結果をそれぞれ示す。【００４３】
【表２】
2008032604.tif 000004
【００４４】
【表３】
2008032604.tif 000005
【００４５】
【表４】
2008032604.tif 000006
【００４６】
【表５】
2008032604.tif 000007
【００４７】
シリカについては、表２より、回転円盤電極の実施例３で、２４．３７％も除去できているのに対し、遠心分離の比較例１ではほとんど除去できていないことが分かる。アルミナについても、表３より、回転円盤電極の実施例３、４ともに４５％以上の除去ができているのに対し、遠心分離の比較例１ではほとんどかわらず、除去できていない。汚染度については、表４より、回転円盤電極の実施例３で４６％もの削減がなされており、汚染度の原因成分が回転円盤電極で除去できる粒子であることが分かる。一方、遠心分離の比較例１でも、２０％削減されており、原因粒子を多少除去できることが分かる。残留炭素については、表５より、回転円盤電極の実施例３で１３％以上の削減であり、除去効果があることが分かる。これに対し、遠心分離の比較例１では、殆ど除去できないことが分かる。
【図１】
2008032604.tif 000008
【図２】
2008032604.tif 000009
【図３】
2008032604.tif 000010
【図４】
2008032604.tif 000011
【国際調査報告】
2008032604.tif 000012
2008032604.tif 000013